(57)【要約】【課題】防水性に優れ、且つ、雨中の作業が行い易い雨具の提供。【解決手段】雨具は、足入れ口近傍に雌スナップボタンを設けた長靴と、前側のみ横方向のタック２１を設け、雌スナップボタンと係合可能な、雄スナップボタン５をズボン裾２２に設けた雨合羽のズボン２とを有し、着用時に、雄スナップボタン５を雌スナップボタンに係合させる。これにより、長靴内へ雨水が浸入し難いとともに、裾に気を使う必要がないので作業に集中できる。【選択図】図３
0003163859.tif 000002
【実用新案登録請求の範囲】
【請求項１】
足入れ口近傍の外側に靴側係合手段を設けた長靴と、
前記靴側係合手段と係合可能なズボン側係合手段をズボン裾の内側に設けた雨合羽のズボンとを有する雨具。
【請求項２】
足入れ口近傍の外周に靴側係合手段を設けた長靴と、
前側のみ横方向のタックを設け、前記靴側係合手段と係合可能なズボン側係合手段をズボン裾の内周に設けた雨合羽のズボンとを有し、
着用時に、前記足入れ口近傍に前記ズボン裾が臨む様に、ズボン生地の前側・後側が寸法設定されている雨具。
【請求項３】
前記靴側係合手段は、雌スナップボタンであり、前記ズボン側係合手段は、雄スナップボタンであることを特徴とする請求項１または請求項２に記載の雨具。
【請求項４】
前記ズボン裾の生地の内周長が前記足入れ口近傍の外周長より僅かに長いとともに、前記ズボン裾を折り返して輪状にし、内部にゴムを入れたことを特徴とする請求項３に記載の雨具。
【請求項５】
前記タックを構成する各襞の下側に通気用のスリットを形成したことを特徴とする請求項２乃至請求項４の何れか１項に記載の雨具。
【考案の詳細な説明】
【技術分野】
【０００１】
本考案は、雨降りの際に、屋外で作業をするときに使用する雨具に関する。
【背景技術】
【０００２】
通常、雨中で作業をするときには、身体が濡れない様に雨合羽やゴム長靴を使用する。  
【０００３】
特許文献１には、対向ベルクロファスナーによって、靴カバーの上部とレインコートの裾とを付着連結させた自転車用雨具が開示されている。
【先行技術文献】
【特許文献】
【０００４】
【特許文献１】特開平１０−１６８６１３号公報
【考案の概要】
【考案が解決しようとする課題】
【０００５】
上記特許文献１は、下記の課題を有する。
自転車用雨具を使用する場合には、筒状靴カバーで靴を覆う必要があるので装着が面倒である。
【０００６】
本考案の目的は、防水性に優れ、且つ、雨中の作業が行い易い雨具の提供にある。
【課題を解決するための手段】
【０００７】
（請求項１について）
雨具は、足入れ口近傍の外側に靴側係合手段を設けた長靴と、靴側係合手段と係合可能なズボン側係合手段をズボン裾の内側に設けた雨合羽のズボンとを有する。
この雨具を使用する時は、雨合羽のズボンを履き、足を足入れ口から長靴内へ入れた後に、ズボン裾の内側に設けたズボン側係合手段を、足入れ口近傍の外側に設けた靴側係合手段に係合させる。
ズボン側係合手段を靴側係合手段に係合させているので、長靴内へ雨水が浸入し難いとともに、裾に気を使う必要がないので作業に集中できる。
【０００８】
（請求項２について）
雨具は、足入れ口近傍の外周に靴側係合手段を設けた長靴と、前側のみ横方向のタックを設け、靴側係合手段と係合可能なズボン側係合手段をズボン裾の内周に設けた雨合羽のズボンとを有する。
着用時に、足入れ口近傍にズボン裾が臨む様に、ズボン生地の前側・後側が寸法設定されている。つまり、雨合羽のズボン生地の前側は、横方向のタックの分だけ丈が短くなるので、前側のズボン生地は後側のズボン生地より長く寸法設定されている。
【０００９】
この雨具を使用する時は、雨合羽のズボンを履き、足を足入れ口から長靴内へ入れた後に、ズボン裾の内周に設けたズボン側係合手段を、足入れ口近傍の外周に設けた靴側係合手段に係合させる。
雨合羽のズボンの前側に横方向のタックを設けているので、膝が曲げ易く、雨中の作業が行い易い。
また、ズボン側係合手段を靴側係合手段に係合させているので、長靴内へ雨水が浸入し難いとともに、裾に気を使う必要がないので作業に集中できる。
【００１０】
（請求項３について）
長靴の足入れ口近傍に設けた靴側係合手段は、雌スナップボタンであり、雨合羽のズボンのズボン裾に設けたズボン側係合手段は、雄スナップボタンである。
ズボン裾に設けた雄スナップボタンを、足入れ口近傍に設けた雌スナップボタンに係合させる。
このため、雨具を使用する際や使用を止める場合の手順が簡単であり、手間がかからない。
【００１１】
（請求項４について）
雨具は、ズボン側係合手段（雄スナップボタン）を設けたズボン裾の生地の内周長を、靴側係合手段（雌スナップボタン）を設けた足入れ口近傍の外周長より僅かに長くしているので、スナップボタンどうしを係合させた際、ズボン裾に弛みが少ないので、雨水の浸入を防止できる。
また、ズボン裾と長靴との密着性を高め、作業による応力がズボン裾や長靴に加わっても係合が外れない様にするために、ズボン裾を折り返して輪状にし、内部にゴムを入れている。
【００１２】
（請求項５について）
タックを構成する各襞の下側に通気用のスリットを形成して足の蒸れを防止している。
【図面の簡単な説明】
【００１３】
【図１】雨具使用時の説明図である。
【図２】本考案の実施例１に係る雨具（長靴側）の説明図である。
【図３】本考案の実施例１に係る雨具（ズボン側）の説明図である。
【図４】ズボン生地（前側、後側）の説明図である。
【図５】変形例に係るズボンの要部拡大図である。
【実施例１】
【００１４】
本考案の実施例１（請求項１〜３に対応）に係る雨具Ａを図に基づいて説明する。
雨具Ａは、長靴１と、雨合羽のズボン２とジャケット３とからなる。
長靴１は、略Ｌ字状の中空ゴム製品であり、下部が使用者の足を保持し、上部が使用者の下腿下部を保持する。
【００１５】
長靴１の上部には、足を入れるための楕円形の足入れ口１１が開口し、足入れ口近傍１０の外周には、靴側係合手段である雌スナップボタン４が四カ所配設されている。なお、四カ所は、前側、後側、左側、右側である。
また、長靴１の底面には、滑り止め１２やヒール１３などが設けられている。
【００１６】
雨合羽のズボン２は、ポリエステルやナイロン等の撥水性材で形成され、雨具Ａの着用時に下腿の脛が来る位置に、重ね縫いにより横方向のタック２１（前側のみ）を設けている。
この雨合羽のズボン２は、雨具Ａの着用時に、雌スナップボタン４を設けた足入れ口近傍１０にズボン裾２２が臨む様に、ズボン生地の前側２３および後側２４の寸法が設定されている（図４参照）。つまり、雨合羽のズボン生地の前側２３は、横方向のタック２１の分だけ丈が短くなるので、前側２３のズボン生地は後側２４のズボン生地より長く寸法設定されている。
【００１７】
また、雨合羽のズボン２は、長靴１の足入れ口近傍１０に配設された雌スナップボタン４と係合可能な雄スナップボタン５（ズボン側係合手段）をズボン裾内周２０の四カ所に設けている。
さらに、雄スナップボタン５を設けた部分のズボン裾２２の生地の内周長が、雌スナップボタン４を設けた足入れ口近傍１０の外周長より僅かに長くなる様に設定されている。  
【００１８】
雨具Ａを着用する時は、雨合羽のズボン２を履き、ジャケット３を着た後、足を足入れ口１１から長靴１内へ入れる。
つぎに、ズボン２のズボン裾２２を長靴１の足入れ口近傍１０部分に外嵌し、内側に雄スナップボタン５が付いている位置（四カ所）のズボン裾２２を足方向へ押して、雄スナップボタン５（四個）を長靴１の雌スナップボタン４（四個）に係合させる。
【００１９】
実施例１の雨具Ａは、以下の利点を有する。
ズボン２のズボン裾２２に付いている雄スナップボタン５を、長靴１の足入れ口近傍１０に付いている雌スナップボタン４に係合させているので、長靴１内へ雨水が浸入し難いとともに、裾に気を使う必要がないので作業に集中できる。
【００２０】
ズボン裾２２の生地の内周長を足入れ口近傍１０の外周長より僅かに長くしているので、スナップボタンどうしを係合させた際に、ズボン裾２２の弛みが少ないので、雨水の長靴１内への浸入を防止できる。
【００２１】
雨合羽のズボン２の前側に横方向のタック２１を設けているので、膝が曲げ易く、雨中の作業が行い易い。
【００２２】
前側のズボン生地を後側のズボン生地より長くし、着用時に、前側および後側のズボン裾２２が足入れ口近傍１０に臨む様にしている。
このため、ズボン裾２２が地面に付かないので裾破れを防止できる。また、着用者が動き易いとともに、ズボン２が下がり難い。
【００２３】
雨具Ａは、ジャケット３を着用せず、雨合羽のズボン２だけ着用して、地中梁の水たまりや、積雪した地面での作業に用いても良い。
【００２４】
（変形例）
ａ．図５に示す様に、ズボン裾２２を折り返して輪状にし、輪状の内部にゴムｇを入れても良い。これにより、ズボン裾２２と長靴１との密着性が高くなり、作業による応力がズボン裾２２や長靴１に加わってもスナップボタンどうしの係合が外れ難い（請求項４に対応）。
また、図５に示す様に、タック２１を構成する各襞の下側に通気用のスリットｓを形成しても良い。これにより、足の蒸れが防止できる（請求項５に対応）。
ｂ．係合手段は、フック側およびループ側で構成される面ファスナーでも良い。
【産業上の利用可能性】
【００２５】
この雨具を着用すれば、雨降りの際に、屋外で作業をすることができる。
【符号の説明】
【００２６】
Ａ  雨具
ｇ  ゴム
ｓ  スリット
１  長靴
２  雨合羽のズボン
４  雌スナップボタン（靴側係合手段）
５  雄スナップボタン（ズボン側係合手段）
１０  足入れ口近傍
１１  足入れ口
２１  タック
２２  ズボン裾
【図１】
0003163859.tif 000003
【図２】
0003163859.tif 000004
【図３】
0003163859.tif 000005
【図４】
0003163859.tif 000006
【図５】
0003163859.tif 000007